Podtech/llm-jp-corpus-v4-ja_patent huggingface dataset:
(57)【要約】【課題】１次音源から所望の距離(聴取者の位置)までは可聴音を到達させ、聴取者の位置より遠方には可聴音を到達させない音響再生装置を提供する。【解決手段】信号源は可聴音信号x(n)（nは時刻)を発生する。１次音源はパラメトリックスピーカであり、信号源からの可聴音信号x(n)により変調された超音波を放射する。２次音源は１次音源より径が小さいパラメトリックスピーカであり、１次音源の中心軸上の１次音源から所望の距離の位置に配置され、１次音源と同じ向きに超音波を放射する。エラーマイクは２次音源の中心軸上に２次音源と対向して配置される。適応処理部は信号源からの可聴音信号x(n)とエラーマイクの出力信号e(n)とが入力され、適応フィルタを用いて、１次音源が発生する超音波及び超音波から復調された可聴波を打ち消す信号y(n)を生成し、２次音源の入力信号として供給する。【選択図】図１
2011239047.tif 000002
【特許請求の範囲】
【請求項１】
可聴音信号x(n)（nは時刻)を発生する信号源と、
信号源からの可聴音信号x(n)により変調された超音波を放射するパラメトリックスピーカである１次音源と、
１次音源の中心軸上の１次音源から所望の距離の位置に配置され、１次音源と同じ向きに超音波を放射する、１次音源より径が小さいパラメトリックスピーカである２次音源と、
２次音源の中心軸上に２次音源と対向して配置されるエラーマイクと、
信号源からの可聴音信号x(n)とエラーマイクの出力信号e(n)とが入力され、適応フィルタを用いて、１次音源が発生する超音波及び超音波から復調された可聴波を打ち消す信号y(n)を生成し、２次音源の入力信号として供給する適応処理部と、
を備える音響再生装置。
【請求項２】
請求項１に記載の音響再生装置において、
前記適応フィルタは、フィルタ係数を
【数２】
2011239047.tif 000004
により設定、更新する
ことを特徴とする音響再生装置。
【発明の詳細な説明】
【技術分野】
【０００１】
本発明は、超音波を用いて強い指向性を持つ可聴音を発生するパラメトリックスピーカを用いた音響再生装置に関する。
【背景技術】
【０００２】
超音波信号を可聴音信号で振幅変調し、この振幅変調された超音波信号で超音波素子を駆動し、超音波素子から振幅変調された超音波を放出させることにより、超音波の放射軸上に超音波の自己復調作用により可聴音を再生するパラメトリックスピーカを用いた音響再生装置が各種提案されている。例えば、特許文献１に記載された音響再生装置は鋭い指向性の可聴音を遠方まで再生することが可能である。
【先行技術文献】
【特許文献】
【０００３】
【特許文献１】特許第３６６８１７９号公報
【発明の概要】
【発明が解決しようとする課題】
【０００４】
従来の音響再生装置は、可聴音を遠方まで再生することが可能である結果、所望の再生位置、すなわち聴取者の位置よりも遠方に不要な超音波や可聴音を到達させてしまうという問題がある。
【０００５】
本発明の目的は、１次音源から所望の距離(聴取者の位置)までは可聴音を到達させ、聴取者の位置より遠方には可聴音を到達させない音響再生装置を提供することにある。
【課題を解決するための手段】
【０００６】
本発明の音響再生装置は、信号源と１次音源と２次音源とエラーマイクと適応処理部とを備える。信号源は、可聴音信号x(n)（nは時刻)を発生する。１次音源はパラメトリックスピーカであり、信号源からの可聴音信号x(n)により変調された超音波を放射する。２次音源は１次音源より径が小さいパラメトリックスピーカであり、１次音源の中心軸６上の１次音源から所望の距離の位置に配置され、１次音源と同じ向きに超音波を放射する。エラーマイクは、２次音源の中心軸上に２次音源と対向して配置される。２次音源の中心軸は、通常は１次音源の中心軸６と共通である。適応処理部は、信号源からの可聴音信号x(n)とエラーマイクの出力信号e(n)とが入力され、適応フィルタを用いて、１次音源が発生する超音波及び超音波から復調された可聴波を打ち消す信号y(n)を生成し、２次音源の入力信号として供給する。
【発明の効果】
【０００７】
本発明によれば、１次音源から所望の距離(聴取者の位置)までは可聴音を到達させ、聴取者の位置より遠方には可聴音を到達させない音響再生装置を実現することができる。これにより、聴取者の周囲の人が不要に超音波に暴露されることや、周囲の人に不要に再生音が聞こえてしまうことを防ぐことができる。
【図面の簡単な説明】
【０００８】
【図１】音響再生装置１０の構成例を示すブロック図。
【発明を実施するための形態】
【０００９】
図１に本発明の音響再生装置１０の構成例を示すブロック図を示す。音響再生装置１０は、信号源１と１次音源２と２次音源３とエラーマイク４と適応処理部５とを備える。
【００１０】
信号源１は、可聴音信号x(n)（nは時刻)を発生する。
【００１１】
１次音源２はパラメトリックスピーカであり、信号源からの可聴音信号x(n)により変調された超音波を放射する。
【００１２】
２次音源３は１次音源より径が小さいパラメトリックスピーカであり、１次音源の中心軸上の１次音源から所望の距離の位置に配置され、１次音源と同じ向きに超音波を放射する。ここでいう所望の距離の位置は、すなわち聴取者の位置であり、例えば１〜２ｍである。
【００１３】
エラーマイク４は、２次音源の中心軸上に２次音源と対向して配置される。
【００１４】
適応処理部５は、信号源からの可聴音信号x(n)とエラーマイクの出力信号e(n)とが入力され、適応フィルタを用いて、１次音源が発生する超音波及び超音波から復調された可聴波を打ち消す信号y(n)を生成し、２次音源の入力信号として供給する。適応フィルタはフィルタ係数を、例えば
【００１５】
【数１】
2011239047.tif 000003
【００１６】
により設定、更新する。
【００１７】
以上のように音響再生装置１０を構成することで、２次音源３が１次音源２の放射する超音波及び超音波から復調された可聴波を打ち消すため、聴取者の位置よりも遠方に不要な超音波や可聴音を到達させてしまうという問題を解消することができる。これにより、聴取者の周囲の人が不要に超音波に暴露されることや、周囲の人に不要に再生音が聞こえてしまうことを防ぐことができる。
【符号の説明】
【００１８】
１  信号源    ２  １次音源    ３  ２次音源    ４  エラーマイク
５  適応処理部    ６  中心軸    １０  音響再生装置
【図１】
2011239047.tif 000005
(57)【要約】      （修正有）【課題】従来のＦＡＸを活用し、送信先の相手指定可能、どこでもＦＡＸ受信可能なＦＭ−ＭＯＤＥＭ装置を、もっと便利で、管理しやすく、安全な通信手段として提供する。【解決手段】ＦＡＸ送信する際、相手の識別記号（番号や氏名など）を表紙の固定位置に書いて送信すると、ＦＡＸ受信機では、ＦＭ−ＭＯＤＥＭが受信し、画像データに変更する。表紙の識別記号を認識し、事前に登録された相手メールリストから相手のメールアドレスを取得する。取得したメールアドレスの宛先に受信したＦＡＸ画像データを送る。【選択図】図１
2011239355.tif 000002
【特許請求の範囲】
【請求項１】
ＦＡＸ受信する際、表紙に書かれた相手の識別記号（番号や氏名など）を認識し、指定された相手に電子メール（事前登録）で送信する。
【発明の詳細な説明】
【技術分野】
【０００１】該当発明はＦＡＸ送信する際、相手の識別記号（番号や氏名など）を表紙の固定位置に書いて、ＦＡＸ受信機としてＦＭ−ＭＯＤＥＭが受信、画像データに変更する。表紙の識別記号を認識し、事前に登録された相手メールリストから相手のメールアドレスを取得する。取得したメールアドレスで受信したＦＡＸ画像データを送ること。
【背景技術】
【０００２】専用組み込みポートを開発し、ＦＡＸ受信機能、文字認識機能、メール送信機能をＣコンピュータ言語で実現する。
【発明の開示】
【０００３】・相手メールアドレス登録
コンピュータ専用「メールアドレス登録」ソフトで，ＦＭ−ＭＯＤＥＭに相手記号、氏名、メールアドレスを登録する。
例：１，山田，ｙａｍａｄａ＠ｈｏｔｍａｉｌ．ｃｏ．ｊｐ
・ＦＡＸ送信
ＦＡＸ送信する際、表紙に相手の識別記号を書く。
例：表紙の左上に「１」を書く。
・ＦＡＸ受信
ＦＭ−ＭＯＤＥＭを使用しているＦＡＸに接続、受信したＦＡＸを画像データに変更し、相手識別記号を認識し、相手に電子メールで送信する。
【発明が解決しようとする課題】
【０００４】▲１▼  現在、８割以上のＦＡＸ受信する際、紙で印刷され、そのうち宣伝用ＦＡＸ、迷惑ＦＡＸ、業務用ＦＡＸなど混じっている。無駄な紙となり、業務用ＦＡＸの管理が大変となる。
▲２▼  一つＦＡＸ機で複数人が使用され、受信したＦＡＸはセキュリティーの問題がある。
▲３▼  既存のＦＡＸ番号を利用し、相手を指定でき、どこでも受信できるようにする。
【課題を解決するための手段】
【０００５】・専用組み込みポートを開発し、ＦＡＸ受信機能、文字認識機能、メール送信機能をＣコンピュータ言語で実現する。
【発明の効果】
【０００６】該当発明の利用者としては以下の効果がある。
・紙の使用は減る。環境にやさしくなる。
・セキュリティーの管理はしやすくなる。
・従来ＦＡＸ番号で相手別で送信できる。
・どこでもＦＡＸを受信できる。
・特に営業マンには嬉しい。
【発明を実施するための最良の形態】
【０００７】・該当発明の使用が非常に簡単です。ＦＭ−ＭＯＤＥＭを今使用しているＦＡＸに繋げば済む。又は従来のＦＡＸ送信には影響しない。
【実施例】
【０００８】▲１▼  従来のＦＡＸの使用と同じく、違和感がなく、送信側は相手識別記号を書けばよいです。
【図面の簡単な説明】
【０００９】
【図１】該当発明を示した構成図である。
【符号の説明】
【００１０】▲１▼    電話回線
▲２▼    ＦＡＸとの接続
▲３▼    ＦＡＸ受信とＦＡＸ送信の自動切換えスイチ
▲４▼    ＦＡＸ−ＭＯＤＥＭ
▲５▼    組み込みポート
▲６▼    ＬＡＮ
▲７▼    無線ＬＡＮ
▲８▼    ＵＳＢポート
▲９▼    警告灯
【図１】
2011239355.tif 000003
【手続補正書】
【提出日】平成22年6月22日(2010.6.22)
【手続補正１】
【補正対象書類名】明細書
【補正対象項目名】全文
【補正方法】変更
【補正の内容】
【発明の詳細な説明】
【技術分野】
【０００１】該当発明はＦＡＸ送信する際、相手の識別記号（番号や氏名など）を表紙の固定位置に書いて、ＦＡＸ受信機としてＦ２Ｍ−ＭＯＤＥＭが受信、画像データに変更する。表紙の識別記号を認識し、事前に登録された相手メールリストから相手のメールアドレスを取得する。取得したメールアドレスで受信したＦＡＸ画像データを送ること。
【背景技術】
【０００２】専用組み込みポートを開発し、ＦＡＸ受信機能、文字認識機能、メール送信機能をＣコンピュータ言語で実現する。
【発明の開示】
【０００３】・相手メールアドレス登録
コンピュータ専用「メールアドレス登録」ソフトで，Ｆ２Ｍ−ＭＯＤＥＭに相手記号、氏名、メールアドレスを登録する。
例：１，山田，ｙａｍａｄａ＠ｈｏｔｍａｉｌ．ｃｏ．ｊｐ
・ＦＡＸ送信
ＦＡＸ送信する際、表紙に相手の識別記号を書く。
例：表紙の左上に「１」を書く。
・ＦＡＸ受信
Ｆ２Ｍ−ＭＯＤＥＭを使用しているＦＡＸに接続、受信したＦＡＸを画像データに変更し、相手識別記号を認識し、相手に電子メールで送信する。
【発明が解決しようとする課題】
【０００４】１  現在、８割以上のＦＡＸ受信する際、紙で印刷され、そのうち宣伝用ＦＡＸ、迷惑ＦＡＸ、業務用ＦＡＸなど混じっている。無駄な紙となり、業務用ＦＡＸの管理が大変となる。
２  一つＦＡＸ機で複数人が使用され、受信したＦＡＸはセキュリティーの問題がある。
３  既存のＦＡＸ番号を利用し、相手を指定でき、どこでも受信できるようにする。
【課題を解決するための手段】
【０００５】・専用組み込みポートを開発し、ＦＡＸ受信機能、文字認識機能、メール送信機能をＣコンピュータ言語で実現する。
【発明の効果】
【０００６】該当発明の利用者としては以下の効果がある。
・紙の使用は減る。環境にやさしくなる。
・セキュリティーの管理はしやすくなる。
・従来ＦＡＸ番号で相手別で送信できる。
・どこでもＦＡＸを受信できる。
・特に営業マンには喜ぶ。
【発明を実施するための最良の形態】
【０００７】・該当発明の使用が非常に簡単です。Ｆ２Ｍ−ＭＯＤＥＭを今使用しているＦＡＸに繋げば済む。又は従来のＦＡＸ送信には影響しない。
【実施例】
【０００８】１  従来のＦＡＸの使用と同じく、違和感がなく、送信側は相手識別記号を書けばよいです。
【図面の簡単な説明】
【０００９】
【図１】該当発明を示した構成図である。
【符号の説明】
【００１０】１  電話回線
２  ＦＡＸとの接続
３  ＦＡＸ受信とＦＡＸ送信の自動切換えスイチ
４  ＦＡＸ−ＭＯＤＥＭ
５  組み込みポート
６  ＬＡＮ
７  無線ＬＡＮ
８  ＵＳＢポート
９  警告灯
【手続補正２】
【補正対象書類名】図面
【補正対象項目名】全図
【補正方法】変更
【補正の内容】
【図１】
2011239355.tif 000004
(57)【要約】【課題】本楽器は陶器製又は木製を主とするが、特に陶器製楽器は操作性と材料としての不適性の難しさから、オカリナ等の吹奏楽器が存在する程度で、広く楽器として使用されていなかった。又現在使用されている皮張りのボンゴは音色に単調さがあった。【解決手段】球状体の胴に空けられた穴とその胴と繋がる筒の穴の扣き方により音色が大きく変わる楽器を人の股に乗せて演奏したり、その楽器と複数個台座に固定してボンゴ風に使用して演奏を楽しむ。【選択図】図1
2011133531.tif 000002
【特許請求の範囲】
【請求項１】
筒状体とその筒状体の長手方向の一方の端に前記筒状体の径より大きな径の球状体を備えると共に球状体の上方側面に穴を有し、更に前記筒状体の長さは前記球状体の直径寸法より長い寸法を有し、又筒状体の他方の端は開口していることを特徴とする打楽器。
【発明の詳細な説明】
【技術分野】
【０００１】
本発明は鼓風打楽器に関する。
【背景技術】
【０００２】
本鼓風打楽器は主に陶器製又は木製であるが、陶器製楽器は代表としてオカリナがあり、又浜松楽器博物館を調査したが陶器製の胴の上部に皮を張った太鼓がある程度で、打楽器としては目立つ物が現存しない。又アフリカの民族楽器としてジャンベとウドゥがあるが、ジャンベは上部に皮を張った太鼓であり、又ウドゥは下部の胴が球状で上部が筒ではあるが筒の長さが全体の球状体の直径寸法より大きく短く、又下部に皮を張った楽器もあり、音は太鼓の様な音であり、甕を扣く音がする。本発明は筒の長さが球状体の直径寸法より同等もしくは長いので扣いた時空気の流れが層になり、胴から音が発する場合は鼓の音となり音質が軽やかである。
【発明の概要】
【発明が解決しようとする課題】
【０００３】
ボンゴは胴に皮を張った小さな太鼓のような楽器のため、音色が単調であり、リズムと扣く強弱で変化を取っていた。又他の楽器は胴の部分が太いので鼓の様な音がしない。
【課題を解決するための手段】
【０００４】
筒状体とその筒状体の長手方向の一方の端に前記筒状体の径より大きな径の球状体を備えると共に球状体の上方側面に穴を有し、更に前記筒状体の長さは前記球状体の直径寸法より長い寸法を有し、又筒状体の他方の端は開口していることを特徴とする打楽器。
【発明の効果】
【０００５】
音は鼓と同じ様に心地良い音であり、不安感を与えない。打楽器のため一般の人もすぐに楽しめ、たくさんの人に楽しんでもらえる。演奏家の場合は音色がいろいろ変化するので、一般的な皮張りのボンゴより楽しさが増すと思われる。
【図面の簡単な説明】
【０００６】
【図１】本発明品の全体を表す図である。
【図２】本発明品をボンゴ風にした図である。
【発明を実施するための形態】
【０００７】
一般的に製作される陶器製や木製の場合は一体構造になり、標準の大きさは全長が約３０ｃｍであり、球状体の直径は約１３ｃｍで筒状体の長さは約１６ｃｍで径は約７ｃｍで球状体の上方側面の穴は約３．５ｃｍであり、肉厚は約７ｍｍである。
本発明は、筒状体の長さと球状体の直径の比が１．１〜３．０の範囲にあることが望ましい。１．１よりも小さいと音の質が明瞭でなくなり、３．０より大きいと楽器としての操作性が悪くなる。
本発明は人が股に乗せて、二つの穴や全体を手の平や指先によって扣いたり、片方の手で支えて扣いたりして楽しむが、口の押さえ方や扣く強弱により音色が変化する。又楽器の下に太鼓のように台座を構成し、固定して一般的なボンゴの様に演奏する事も可能である。
【実施例】
【０００８】
図１は本発明の根幹を成す楽器で、（1）において細部説明すると胴である（2）と音を発生される主となる胴穴（3）と音を発生させる従となる筒（4）と筒穴（5）により全体が構成され、又底（6）や胴、筒を扣くこともある。
図２は鼓風打楽器を大小並べてボンゴ風に配置された楽器であり低音部楽器の（7）と高音部楽器の（8）と台座（9）により構成されており、音の大小高低などにより、通常のボンゴより音色の変化がとれ心地よい音の出る打楽器である。
【産業上の利用可能性】
【０００９】
本発明は打楽器で音が心地良く、一般の人が多くの訓練をすることなく、楽しむ事が出来るので、プロ演奏家から、カラオケ、学校、老人ホーム、一般の家庭等において多くの人々に楽しんでもらえると思っている。
【符号の説明】
【００１０】
1   楽器
2   胴
3   胴穴
4   筒
5   筒穴
6   底
7   低音部楽器
8   高音部楽器
9   台座
【図１】
2011133531.tif 000003
【図２】
2011133531.tif 000004
(57)【要約】【課題】接続金具の取付部のシール性を向上したホースを提供する。【解決手段】互いに逆回りに螺旋状に巻き付けられる２組のコード４、５を、一方の組のコード４のそれぞれが、他方の組のコード５のそれぞれと２つおきに上側又は下側で重なるように編み組みすると共に、その２つおきに上側又は下側で重なる部分がホース周方向に連続するようにする。【選択図】図１
2011133045.tif 000002
【特許請求の範囲】
【請求項１】
内面ゴム層に、金属ワイヤ又は有機繊維からなる複数のコードを編み組みしてなる補強層と、外面ゴム層とを順に積層したホースにおいて、
前記補強層を、互いに逆回りに螺旋状に巻き付けられる２組の前記コードを、一方の組のコードのそれぞれが、他方の組のコードのそれぞれと２つおきに上側又は下側で重なるように編み組みすると共に、前記２つおきに上側又は下側で重なる部分がホース周方向に連続するようにしたホース。
【請求項２】
前記一方の組の第１コードが１番目に重なる前記他方の組のコードを、該一方の組のコードの次に隣接する同じ組の第２コードに対して前記第１コードとは逆側となるように重ねると共に、前記第１コードが２番目に重なる前記他方の組のコードを、前記第２コードに対して同じ側となるように重ねた請求項１に記載のホース。
【請求項３】
前記金属ワイヤがスチールワイヤである請求項１又は２に記載のホース。
【請求項４】
前記有機繊維が芳香族ポリアミド繊維である請求項１又は２に記載のホース。
【請求項５】
建設機械用の油圧ホースである請求項１〜４のいずれかに記載のホース。
【発明の詳細な説明】
【技術分野】
【０００１】
本発明はホースに関し、更に詳しくは、接続金具の取付部のシール性を向上したホースに関する。
【背景技術】
【０００２】
従来から、建設機械の油圧ホースなどに用いられる耐圧性のゴムホースとして、内面ゴム層に補強層と外面ゴム層を順に積層した構造のホースが用いられている。この補強層には、スチールワイヤや有機繊維からなるコードをブレード状に編み込んだ編組が多く用いられるが、例えば特許文献１に示すように、その編組のほとんどは、互いに逆回りに巻き付けた２組のコードを、一方の組のコードのそれぞれが、他方の組のコードのそれぞれと２つおきに上下に重なるように編み組みした構造、いわゆる2-over-2 構造を有していた。
【０００３】
この2-over-2 構造の編組は、現状の編組機の仕組みから、図３に示すように、コード６、７同士が２つおきに重なる部分（斜線部を参照）が、ホース長手方向に連続するようになるため、ホース断面が円形ではなく略多角形状になる。そのため、ホース端部の補強層をかしめるようにして取り付ける接続金具とホースとの密着性が悪くなり、取付部のシール性を向上することが難しいという問題があった。
【先行技術文献】
【特許文献】
【０００４】
【特許文献１】特開平６−１５９５５９号公報
【発明の概要】
【発明が解決しようとする課題】
【０００５】
本発明の目的は、接続金具の取付部のシール性を向上したホースを提供することにある。
【課題を解決するための手段】
【０００６】
上記の目的を達成する本発明のホースは、内面ゴム層に、金属ワイヤ又は有機繊維からなる複数のコードを編み組みしてなる補強層と、外面ゴム層とを順に積層したホースにおいて、互いに逆回りに螺旋状に巻き付けられる２組の前記コードを、一方の組のコードのそれぞれが、他方の組のコードのそれぞれと２つおきに上側又は下側で重なるように編み組みすると共に、前記２つおきに上側又は下側で重なる部分がホース周方向に連続するようにしたことを特徴とするものである。
【発明の効果】
【０００７】
本発明のホースによれば、いわゆる 2-over-2構造の編組を補強層に用いたホースにおいて、２つおきに上側又は下側で重なる部分がホース周方向に連続するようにしたので、ホース断面が円形となるため、接続金具の接続部のシール性を向上することができる。
【図面の簡単な説明】
【０００８】
【図１】本発明の実施形態からなるホースの一部切欠きした斜視図である。
【図２】図１に示す補強層の一部拡大図である。
【図３】従来の2-over-2 構造の編組を補強層に用いたホースの一部切欠きした斜視図である。
【発明を実施するための形態】
【０００９】
以下に、本発明の実施の形態について、図面を参照して説明する。
【００１０】
図１は、本発明の実施形態からなるホースを示す。
【００１１】
このホースは、内面ゴム層１に補強層２と外面ゴム層３とを順に積層したものである。補強層２は、金属ワイヤ又は有機繊維からなるコード４、５を編み組みした編組から構成されている。金属ワイヤとしてはスチールワイヤが、有機繊維としては芳香族ポリアミド繊維が、それぞれ望ましく用いられる。
【００１２】
このようなホースにおいて、補強層２を構成する編組は、いわゆる 2-over-2構造の編組であって、互いに逆向きになるよう螺旋状に巻き付けられたコード４、５が２つおきに上下に重なり合う部分（斜線部を参照）が、ホース周方向に連続するようになっている。
【００１３】
このような編組を補強層２に用いるようにしたので、ホース断面が円形になるため、接続金具とホースとの密着性がよくなり、取付部のシール性を向上することができる。
【００１４】
コード４、５が２つおきに上下に重なり合う部分が、ホース周方向に連続するようにするには、図２に示すように、２つおきに重なり合う部分Ｘにおいて、一方向（例えば、時計回り）に巻き付けられたコード４Ａ（第１コード）が１番目に上側から重なる反対方向（例えば、反時計回り）に巻き付けられたコード５Ａを、コード４Ａの次に隣接して同方向に巻き付けられたコード４Ｂ（第２コード）に対して、コード４Ａの場合とは逆に上側から重ねるようにすると共に、コード４Ａが２番目に重なる反対方向に巻き付けられたコード５Ｂを、コード４Ｂに対してコード４Ａの場合と同じく下側から重ねるようにすればよい。これらの関係は、コードの上下の重なりを入れ替えても成立する。
【００１５】
上記の実施形態においては、補強層２が一層の場合を例示したが、中間ゴム層を介して複数の補強層２を積層するようにしてもよい。
【００１６】
本発明のホースの用途は特に限定するものではないが、パワーシャベルやブルドーザーなどの建設機械の動力伝達に用いられる油圧ホースに好適に用いることができる。
【符号の説明】
【００１７】
１  内面ゴム層
２  補強層
３  外面ゴム層
４、５、６、７  コード
【図１】
2011133045.tif 000003
【図２】
2011133045.tif 000004
【図３】
2011133045.tif 000005
(57)【要約】      （修正有）【課題】オルガンが何時でもピアニッシモ（最も弱く）やクレッシエンド（だんだん強く）やデミニエンド（段々弱く）が自在に出来、豊かな音楽表現を可能とする。【解決手段】空気袋板１２に凸面板を貼り付け通気口８やバルブ１３からの逆流や空気漏れを防ぎ、空気袋内の空気を安定化し、さらに棚板等の通気口に設けた開閉蓋によって空気量を調節し袋内の空気残量をコントロールすることによって、ピアニッシモやデミニエンドを容易にし、音量変化を自在にし、豊かな音楽表現を可能とする。【選択図】図１
2011133835.tif 000002
【特許請求の範囲】
【請求項１】
オルガンの空気袋通気口に凸面板を貼り付け、バルブをバネで引くことによってピッタリ接し空気の逆流や漏れを塞ぎ長い空気持ちを実現し、さらに棚板等に通気口を設け開閉蓋を設け、ピアニッシモスエルによって開閉し、空気袋内の空気圧を自在にコントロールし、ピアニッシモやピアノにコントロールし、デミニエンドを容易にせしめてオルガンの音楽表現を豊かにすることを特徴とするものである。
【発明の詳細な説明】
【技術分野】
【０００１】本発明はオルガンの空気持ちを良くし、随所にピアニッシモ効果を出せるピアニッシモスエルに関するものである。
【背景技術】
【０００２】従来のオルガンは足で踏み空気を送り又は吸出し、空気圧を変化させて演奏してきた。踏み込むことによって空気量が変化し大きな音を出してきた。しかし大きな音量（フオルテッシ）のあと急に小さな音（ピアニッシモ）は出せない、空気の残量がある限り残りの音を出し続けるか、演奏を中止するか、又は多くの音を同時に出してきた。又多くの音を出しすぎると空気が足りなくなり音が続か無くなる等オルガン音楽の表現に限界があった。又曲想に沿った強弱を自在につけた演奏は出来なかった。【０００３】オルガンはリードオルガン、電動オルガン、パイプオルガン、ハルモニックオルガンを含み、すべて空気圧によって発音する仕組みになっている。どれも空気圧が高くなった（フオルテッシモ）時、急に低いやさしい音（ピアニッシモ）での演奏は出来ない。急な強弱の変化をつけた演奏は出来ない欠点を持ち続けてきた。【０００４】空気袋の板が平面（Ａ部分）でバルブが密着せず、空気の止まりが不完全で空気漏れや空気が逆流して空気圧が不安定となる欠点を持っていた。
【先行技術文献】
【非特許文献１】
【０００５】「Ｄａｓ  Ｂｕｃｈ  Ｖｏｎ  Ｄｅｌ  Ｏｒｇｅｌ」―Ｂｏｒｅｎｒｅｉｔｅｒ  ２）「Ｔｈｅ  Ａｍｅｒｉｃａｎ  Ｒｅｅｄ  Ｏｒｇａｎ」―ＲｏｂｅｒｔＦ，Ｇｅｌｌｅｒｍａｎ  ３）「オルガンの文化史」―赤井励  青弓社  ４）「オルガンの歴史とその原理」―平島達司  学芸研究会刊  ５）「楽器の歴史」―皆川達夫  パルコ出版  ６）「Ｄａｓ  Ｈａｒｍｏｎｉｕｍ  Ｖｅｎｌａｇ  Ｅｒｗｉｎ」−Ｂｏｃｈｉｎｓｋｙ  ７）「Ｈａｒｍｏｎｉｕｍ」Ａｒｔｈｕｒ  Ｗ，Ｊ，Ｇ  Ｏｒｄ−Ｈｕｍｅ「すぐできるオルガン修理」―加藤正治、  オルガン関係出版物にもピアニッシモ効果の記載は見当たらない。
【発明の概要】
【発名が解決しようとする課題】
【０００６】オルガンは構造的に空気漏れが大きく空気袋の空気がたちまち減少してしまい演奏を継続するのが困難な場合があり、又随所にピアニッシモの表現を織り込むことは困難であった。多くの音を同時に出す場合はペダルを頻繁に踏み込み空気量を確保する必要があった。
【０００７】  本発明は空気袋の通気口バルブを凸面１１に改造（Ｂ面）しバルブ１３を密着させ空気持ちを良くし、また棚板部分等には新たに通気口８を設け演奏途中ピアニッシモスエル２を左から右方向に操作すること、又は逆もあり、によって空気袋の空気残量を操作し、ピアニッシモ（極弱い音）やデミニエンド（だんだん弱く）の効果を何時でも瞬時に発揮できる必要があった。
【課題を解決するための手段】
【０００８】本発明は空気袋１２のバルブ台通気口８を図のように凸面（Ｂ面１１）にし、真ん中を膨らませ上下に連なるバルブ１３を大袋バルブバネ１４で引っ張ることによって通気口８は完全に止まり、空気持ちが良くなり、又図２の如く棚板９等に通気口８を開け、開閉蓋１を開閉することによって瞬時に何時でも内部１６の空気圧を変化させ、ピアニッシモ（最も弱く）が出せるよう空気圧をコントロールさせる物である。
【発明の効果】
【０００９】上記のごとく空気袋のバルブ台（Ａ面）を凸面に丸く台形（Ｂ面）にし、バルブが均等に加圧し通気口８をふさぐ為、空気持ちがよくなり、又新たに棚板９等に通気口８を設け開閉蓋１により内部空気圧１６をコントロールすることによりオルガンが何時でもピアニッシモ（最も弱く）やクレッシエンド（だんだん強く）やデミニエンド（段々弱く）が自在に出来、豊かな音楽表現が可能となるものである。
【図面の簡単な説明】
【００１０】
【図１】空気袋の説明図
【図２】棚板の通気口と開閉蓋ピアニッシモスエルの断面説明図
【図３】開閉蓋開き時の断面説明図
【図４】オルガン全体斜視図
【実施例１】
【００１１】本発明は新品製作時に空気袋及び棚板に設け、又中古オルガンにも同様に取り付け可能なものである。
【発明を実施するための形態】
【００１２】オルガン製造時に空気袋板や棚板９等に取り付け出来、また修理時にも空気袋板や棚板等に取り付ける事によってピアニッシモやデミニエンドが存分に出来豊かな音楽表現が可能となるものであります。
【産業上の利用可能性】
【００１３】この発明はオルガン音楽を豊かな表現力で、より優れたものにし音楽教育上重要な立場を確立し、オルガン産業を活発化させる起爆剤になるものである
【符号の説明】
【００１４】１    開閉蓋
２    ピアニッシモスエル
３    Ｌ字金具
４    ピアニッシモスエルのストッパー
５    ピアニッシモの蝶番
６    スエル戻しバネ
７    開閉蓋カバー
８    通気口
９    棚板
１０  開閉蓋もどしバネ
１１  凸面バルブ台
１２  空気袋大袋
１３  大袋バルブ
１４  大袋バルブバネ
１５  響鳴板
１６  空気袋直結空気室
１７  オルガン本体
【図１】
2011133835.tif 000003
【図２】
2011133835.tif 000004
【図３】
2011133835.tif 000005
【図４】
2011133835.tif 000006
(57)【要約】【課題】本発明は一年を通して一定温度の地中熱を利用して、外気と熱交換を行い低コストで省エネルギー性の高い地中熱利用システムを提供する。【解決手段】掘削機により設置された熱交換器の空気入口１より取込まれた外気は熱交換パイプ（流入）２及び熱交換パイプ（流出）３を通過する間に、水８を熱交換媒体とし地中熱と熱交換を行い夏季は冷却、冬季は過熱されて空気出口９より需要先に供給される。【選択図】図１
2011133152.tif 000002
【特許請求の範囲】
【請求項１】
熱交換器内に比熱の高い水を入れることにより、外気温度の影響を少なくし安定した熱交換量を確保した熱交換器を有する地中熱利用システム。
【請求項２】
配電線工事で使用する掘削機により深度４ｍ程度のボーリング掘削し請求項１を設置する地中熱利用システム。
【請求項３】
夏季に熱交換器の管の中で発生した凝縮水を手動のウイングポンプで排出する設備を有する請求項１に記載の地中熱利用システム。
【請求項４】
請求項１の地中熱利用システムを使用して、外気負荷を削減した省エネ換気システム。
【請求項５】
請求項１の地中熱利用システムを使用して、空気熱源ヒートポンプ給湯機の冬季の成績係数を向上する省エネ給湯システム。
【発明の詳細な説明】
【技術分野】
【０００１】
本発明は一年を通して一定温度の地中熱を利用して、外気と熱交換を行うシステムに関するものである。
【背景技術】
【０００２】
建築基準法で定められた換気システムの多くは外気をそのまま導入しているため、空調機の処理負荷の増大及び居住者の快適性が損なわれている。
【０００３】
地中熱を利用した二重管構造の熱交換器として以下の方式が提案されている。
【特許文献１】特許公開２００７−３０３６９３
【発明の開示】
【発明が解決しようとする課題】
【０００４】
現状の地中熱利用システムは、安定した熱交換を行うためボーリング深度を深くする必要があり、高コストで搬送動力を多く要するものが大半を占めている。また、特許文献１の熱交換器は深度が浅く熱交換効率が低いため、省エネルギー性が少ない。
【０００５】
そこで、本発明の課題は、浅い深度で省エネルギー性が高い地中熱利用システムを提供することにある。
【課題を解決するための手段】
【０００６】
請求項１によれば、外気温度の影響を受けにくく、安定した熱交換量を確保できるので深度が浅くても省エネルギー性を高くすることができる。
【０００７】
請求項２によれば施工が既存の技術を応用できるため低コストで施工が可能である。
【０００８】
夏季において下部チャンバー室に凝縮水が発生すると、流路面積が減少し風量が低下するため請求項３により排出する。
【０００９】
外気取入口より請求項４の省エネ換気システムに取込まれた外気は、装置内を通過する間に、装置内に充満している水を熱交換媒体とし地中熱と熱交換を行い、夏季は冷却、冬季は加熱されて居室に供給されることにより居室の空調機処理負荷の軽減および室内空気環境を改善し、その後、排気口より排出される。
【００１０】
空気熱源ヒートポンプ給湯器は夜間の安価な深夜電力による蓄熱運転を主体としているため、冬季の夜間低温時には、成績係数が低下するという問題があるが、請求項５の給湯システムにより熱交換した空気を室外機に吹付けることで冬季の成績係数を高めることが出来る。
【発明の効果】
【００１１】
本発明に係る地中熱利用システムによれば、低コストで省エネ性を実現でき、高品質の室内空気環境を提供できる。
【発明を実施するための最良の形態】
【００１２】
次に、本発明を実施するための最良の形態を、地中熱利用システムのシステム図である図１を用いて詳細に説明する。
【実施例】
【００１３】
図1は、この発明の地中熱利用システムを示すシステム図である。本発明の実施形態の地中熱利用システムは、空気入口１と熱交換パイプ（流入）２と、熱交換パイプ（流出）３と、上部チャンバー室４と、下部チャンバー室５と、鋼管６と、送風機７と、空気出口９と、鋼管６と熱交換パイプ２及び熱交換パイプ３の間に水８を満充填した構造である。
【００１４】
空気入口１より取込まれた空気は、上部チャンバー室４より熱交換パイプ（流入）２を熱交換しながら通過し、下部チャンバー室５を経由し、熱交換パイプ（流出）３を熱交換しながら通過し送風機７により空気出口９から需要先に供給される。
【００１５】
図２は熱交換器断面図である。
【００１６】
満充填された水が自然対流することによって熱交換効率が向上することを、熱通過率を比較し確認した。計算結果を図３と図４に示す。
【００１７】
図５〜図１１に２００９年５月〜１１月の時間ごとの平均温度変化グラフを示す。
【００１８】
５月の空気出口平均温度は１７．２℃、外気温度との差は１．５℃〜−５．５℃となった。
【００１９】
６月の空気出口平均温度は２０．２℃、外気温度との差は１．０℃〜−５．７℃となった。
【００２０】
７月の空気出口平均温度は２３．０℃、外気温度との差は０．１℃〜−３．３℃となった。
【００２１】
８月の空気出口平均温度は２４．２℃、外気温度との差は０．６℃〜−４．９℃となった。
【００２２】
９月の空気出口平均温度は２１．４℃、外気温度との差は１．８℃〜−５．２℃となった。
【００２３】
１０月の空気出口平均温度は１７．３℃、外気温度との差は２．９℃〜−３．７℃となった。
【００２４】
１１月の空気出口平均温度は１２．１℃、外気温度との差は２．５℃〜−１．３℃となった。
【図面の簡単な説明】
【００２５】
【図１】地中熱利用設備システム図
【図２】熱交換器断面図
【図３】熱通過率の算定
【図４】熱通過率の算定
【図５】２００９年５月の時間平均温度変化グラフ
【図６】２００９年６月の時間平均温度変化グラフ
【図７】２００９年７月の時間平均温度変化グラフ
【図８】２００９年８月の時間平均温度変化グラフ
【図９】２００９年９月の時間平均温度変化グラフ
【図１０】２００９年１０月の時間平均温度変化グラフ
【図１１】２００９年１１月の時間平均温度変化グラフ
【符号の説明】
【００２６】
１  空気入口
２  熱交換パイプ（流入）
３  熱交換パイプ(流出)
４  上部チャンバー室
５  下部チャンバー室
６  鋼管
７  送風機
８  水
９  空気出口
【図１】
2011133152.tif 000003
【図２】
2011133152.tif 000004
【図３】
2011133152.tif 000005
【図４】
2011133152.tif 000006
【図５】
2011133152.tif 000007
【図６】
2011133152.tif 000008
【図７】
2011133152.tif 000009
【図８】
2011133152.tif 000010
【図９】
2011133152.tif 000011
【図１０】
2011133152.tif 000012
【図１１】
2011133152.tif 000013
(57)【要約】      （修正有）【課題】チラシ宅配業者が告知管理者にチラシ情報を委託する事により、チラシ投函を禁止するビル、マンションの入居者にチラシ情報を効率良く安価に情報を発信し、ビル、マンションの入居者が各々自由に、告知管理者のウェブサイトのホームページにてチラシ情報を選択し入手する事が出来る。【解決手段】告知管理者Ｃはビル、マンションの管理会社Ａの認可後、郵便ボックスにチラシ投函禁止の告知を行うと共に、チラシ及びその他の情報を代理して伝える告知を行う。チラシ宅配業者Ｄはビル、マンションの指定された告知管理者Ｃにチラシ情報を発信する。告知管理者ＣはウェブサイトのホームページＥにて情報を公開し、入居者は入居するビル、マンション名を検索してチラシ情報を入手する。【選択図】図１
2011204213.tif 000002
【特許請求の範囲】
【請求項１】
ビル、マンション管理者（以下ビル管理者）はビル、マンションの入居者（以下入居者）にチラシ情報を告知管理する管理者（以下告知管理者）とチラシ情報に関する業務提携をして告知管理者はインターネットを利用してチラシ宅配業者に効率的な公開、告知に関する業務提携して、また入居者に何時でも自由にチラシ情報を選択、入手出来る方法を提供するビジネスシステムである。
ビル管理者はチラシ情報を入居者に告知管理する告知管理者とチラシ情報に関する業務提携をし、ビル管理者は郵便ボックス付近にチラシ投函禁止の告知、及びチラシ情報を発信、告知する方法と告知管理者の連絡先を掲示する。チラシ宅配業者は告知管理者へチラシ情報を委託する。ビル管理者は入居者へ告知管理者のウェブサイトのホームページにて、パソコン、ウェブ対応型携帯電話、デジタル家電でチラシ情報を入手出来る方法を通達する。告知管理者はウェブサイトのホームページにてチラシ宅配業者より依頼された特定の地域のビル、マンションの入居者にウェブサイトのホームページにてチラシ情報を公開する。告知管理者は入居者の中の希望者がメールアドレスを登録すれば、時間、又は期間限定の急を要するリアルタイムサービスの情報をメールにて送信、伝達する。
入居者は告知管理者のホームページにて各々が自由に何時でもチラシ情報を選択し入手する事が出来、入居者はメールアドレスを登録する事により、選択し希望したジャンルの時間、又は期日限定のサービス情報をメールにより遅滞なく入手する。告知管理者はウェブサイトのホームページのチラシ情報を入居者へ常に正確に遅滞なく公開、送信することで請負業務を終了するビジネスシステムである。
【発明の詳細な説明】
【発明の詳細な説明】
【技術分野】
【０００１】この発明はビル、マンション入居者が多量に投函されるチラシ情報をウェブサイトのホームページで、何時でも自由に選択して情報を入手する事が出来るシステムに関するものである。
【背景技術】
【０００２】従来ビル、マンションの入居者及びビル、マンション管理者は多量に投函されるチラシを定期的に清掃、処分するか、チラシ配布を禁じる告知を行い、全てのチラシ配布を禁じる二者択一である。
【発明が解決しようとする課題】
【０００３】これは次のような課題があった。
Ａ．チラシ配布を放置した場合、郵便ボックス付近にチラシが散乱して、清掃及び処分に手間や費用が掛かる。
Ｂ．チラシ配布は郵便ボックス内をチラシで占拠する事もあり、必要な郵便物を選別する手間が必要で、尚且つ入居者（青少年等）にとって有害で迷惑なチラシ情報もある。
Ｃ．チラシ配布を禁止した場合、ビル、マンション入居者の中にはチラシによる情報を必要としている入居者も存在する。
Ｄ．チラシ配布を許可した場合、有益無益に係わらずチラシの種類を入居者は選択する事が出来ない。
Ｅ．ビル、マンションに投函されるチラシは、入居者全員の合議によるものだけで、各々に必要、不必要を個別に選択する事が出来ない。
Ｆ．チラシ配布業者はチラシ配布を禁じられたビル、マンションに情報を発信する事が出来ない。
本発明は以上の欠点を解決し、チラシの散乱を防止し、ビル、マンション入居者に必要な情報を公開し、チラシ配布業者に効率良く情報を発信させる事を目的とするものである
【問題を解決する為の手段】
【０００４】ビル、マンションの管理者（以下ビル管理者）はチラシ情報をビル、マンションの入居者（以下入居者）にチラシ情報を告知管理する管理者（以下告知管理者）と業務提携をする。
ビル管理者は郵便ボックスが設置してある場所にチラシ配布を禁じる告知をすると共に、ビル、マンション入居者（以下入居者）に対してチラシ情報を何時でも自由に選択して入手する事が出来る方法を通達する。
チラシ配布業者はチラシ情報を告知管理者へ委託して、告知管理者はチラシ配布業者から入手したチラシ情報をウェブサイトのホームページで公開し、入居者は何時でもその情報をパソコン、ウェブ対応型携帯電話、デジタル家電を使用して自由に選択、入手する事が出来る。
入居者は入居するビル、マンション名で検索した情報を入手し、尚かつ期間限定のリアルタイムサービスを希望した入居者はメールアドレスを登録する事により、その情報を遅滞なく入手する事が出来るシステムである。
これによりチラシ配布業者は効率良く希望した特定の地域のビル、マンションの入居者に安価に情報を発信させ、尚且つ入居者は何時でも自由に情報を選択して入手する事が出来るシステムである。
【発明を実施するための形態】
【０００５】以下本発明の形態について説明する。
１．ビル、マンション管理者Ａ（以下ビル管理者）はチラシ情報をビル、マンションの入居者Ｂ（以下入居者）に告知管理する管理者Ｃ（以下告知管理者）とチラシ情報に関する業務提携をする。
２．ビル管理者Ａは対象となるビル、マンションの郵便ボックス付近にチラシ投函禁止の告知を行い、及びチラシ情報を発信、告知する方法と告知管理者Ｃの連絡先を掲示する。
３．チラシ宅配業者Ｄは告知管理者Ｃへチラシ情報を委託して、チラシ宅配業者Ｄの希望する特定の地域のビル、マンションの入居者へと情報を発信する。
４．ビル管理者Ａは入居者Ｂへ告知管理者ＣのウェブサイトのホームページＥにて、パソコン、ウェブ対応型携帯電話、デジタル家電でチラシ情報を入手出来る方法を通達する。
５．告知管理者ＣはウェブサイトのホームページＥにてチラシ宅配業者より依頼された地域のビル、マンションの入居者Ｂにチラシ情報を公開する。
６．入居者Ｂは告知管理者ＣのホームページＥにて入居するビル、マンション名で検索したチラシ情報を各々が何時でも自由に選択して入手する。
７．告知管理者Ｃは、入居者Ｂの中の希望者がメールアドレスを登録する事により、希望したジャンルの時間、及び期日限定サービス情報をメールにより遅滞なく送信、提供する。
８．告知管理者ＣはウェブサイトのホームページＥでチラシ情報を入居者Ｂへ常に正確に遅滞なく公開、送信及び管理することで請負業務を終了する。
【図面の簡単な説明】
【図１】本発明の実施に係るシステムの構成図である。
【符号の説明】Ａ  ビル管理者
Ｂ  入居者
Ｃ  告知管理者
Ｄ  チラシ宅配業者
Ｅ  ホームページ
【図１】
2011204213.tif 000003
(57)【要約】【課題】環境変化に対して定格銘板の膨れやへこみがなくなることにより、剥がれ等の要因もなく、表示スペースの減少や外観上も品位低下のない筐体を安価な構成で得ることができる電気機器を提供することを目的とする。【解決手段】少なくとも２つの筐体と、前記２つの筐体を固着するビスと、前記筐体のビスの頭部が当接する部分に配されたビス頭より大なる寸法の凹部と、前記凹部を有する筐体に前記ビス頭部の上に貼り付けられたラベルとからなり、前記凹部を有する筐体の前記ビスのねじ部に嵌合する円筒穴は鍵穴状にその径よりも小なる第一の長溝部を有し、前記凹部のビスの頭部が当接する面にも前記第一の長溝と連続してなる第二の長溝を備えたことを特徴とする電気機器。【選択図】図１
2011204833.tif 000002
【特許請求の範囲】
【請求項１】
少なくとも２つの筐体と、前記２つの筐体を固着するビスと、前記筐体のビスの頭部が当接する部分に配されたビス頭より大なる寸法の凹部と、前記凹部を有する筐体に前記ビス頭部の上に貼り付けられたラベルとからなり、前記凹部を有する筐体の前記ビスのねじ部に嵌合する円筒穴は鍵穴状にその径よりも小なる第一の長溝を有し、前記凹部のビスの頭部が当接する面にも前記第一の長溝と連続してなる第二の長溝を備えたことを特徴とする電気機器。
【発明の詳細な説明】
【技術分野】
【０００１】
本発明は、定格等を表示したラベルを筐体に貼り付けた、充電器等の電気機器に関するものである。
【背景技術】
【０００２】
従来の充電器等の電気機器には、定格表示を筐体にラベルを貼り付けているものが知られている（例えば、特許文献１参照）。従来の充電器等の電気機器の展開斜視図を図４、図５に示す。図中、４１はウエケース、４２はシタケースであり、内部に電気実装基板４３を収納する。
【０００３】
二次電池パック４４はウエケース４１の電池ポケット部４１ａに収納され電気実装基板４３上の充電端子４３ａを介して充電される。ウエケース４１とシタケース４２はビス４５により固着される。その際、シタケース４２にはビス４５の頭部４５ａが入り込む凹部４２ａが配されており、ビス４５が締め付けられた後にはビス４５の頭部４５ａがシタケース４２の表面よりも突出しないように構成されている。ビス４５が締め付けられた後に、図５の如くシタケース４２の底面には定格銘板４６が両面テープ等によって貼り付けられる。
【先行技術文献】
【特許文献】
【０００４】
【特許文献１】特開２００１−２３７５６１号公報
【発明の概要】
【発明が解決しようとする課題】
【０００５】
しかしながら、前記従来の電気機器では、定格銘板がシタケースのビス頭部が入り込む凹部を覆っているため、凹部が密閉状態になり高温放置やヒートショックなどの環境変化により凹部内の空気が膨張収縮し定格銘板に気泡のような膨れやへこみを生じさせ、剥がれ等の要因につながるという課題を有していた。また、定格銘板にシタケースの凹部と同等の穴を開けることも可能であるが、そのことにより表示スペースが減少すると共に、外観の品位の低下も招くという課題も有していた。
【課題を解決するための手段】
【０００６】
前記従来の課題を解決するために、本発明の電気機器は、少なくとも２つの筐体と、
前記２つの筐体を固着するビスと、前記筐体のビスの頭部が当接する部分に配されたビス頭より大なる寸法の凹部と、前記凹部を有する筐体に前記ビス頭部の上に貼り付けられたラベルとからなり、前記凹部を有する筐体の前記ビスのねじ部に嵌合する円筒穴は鍵穴状にその径よりも小なる第一の長溝を有し、前記凹部のビスの頭部が当接する面にも前記第一の長溝と連続してなる第二の長溝を備えたというものである。
【０００７】
本発明の筐体を用いることによって、シタケースのビス頭部を収納する凹部が充電器内部と空間的につながり密閉状態でなくなることとなり、凹部内の空気の膨張収縮による定格銘板への影響がなくなる。
【発明の効果】
【０００８】
本発明によると、環境変化に対して定格銘板の膨れやへこみがなくなることにより、剥がれ等の要因もなく、表示スペースの減少や外観上も品位低下のない充電器を安価な構成で得ることができる。
【図面の簡単な説明】
【０００９】
【図１】本発明の実施の形態１における充電器の展開斜視図
【図２】同実施の形態１における充電器の要部詳細図
【図３】同実施の形態１における充電器の要部断面図
【図４】従来の電気機器の展開斜視図
【図５】従来の電気機器の展開斜視図
【発明を実施するための形態】
【００１０】
以下本発明を実施するための最良の形態について、図面を参照しながら説明する。
【００１１】
（実施の形態１）
図１は本発明の実施の形態１における電気機器の展開斜視図、図２はその要部詳細図、図３はその要部断面図である。ここで、図１及び図２の従来例と異なる点は、シタケース２２の凹部１２ａ内のビスのねじ部が嵌合する円筒穴が第一の長溝１７ａを有して鍵穴上の形状になっている。また、ビスの頭部２５ａが当接する面にも第一の長溝と連続してなる第二の長溝１７ｂを有している。
【００１２】
これにより、図３の用にシタケースのビス頭部を収納する凹部１２ａが充電器内部と空間的につながることとなり、凹部１２ａ内の空気の膨張収縮による定格銘板２６への影響がなくなるという特有の効果を有する。
【産業上の利用可能性】
【００１３】
本発明にかかる電気機器は、環境変化に対して定格銘板の膨れがなくなり、剥がれ等の要因もなく、表示スペースの減少や外観上も品位低下のない電気機器を安価な構成で得ることができるので、電気機器の筐体等として有用である。
【符号の説明】
【００１４】
１２ａ  凹部
１７ａ  第一の長溝
１７ｂ  第二の長溝
２１    ウエケース
２２    シタケース
２３    電気実装基板
２４    二次電池パック
２５    ビス
２５ａ  頭部
２６    定格銘板
４１    ウエケース
４１ａ  電池ポケット部
４２    シタケース
４３    電気実装基板
４３ａ  充電端子
４４    二次電池パック
４５    ビス
４５ａ  頭部
４６    定格銘板
【図１】
2011204833.tif 000003
【図２】
2011204833.tif 000004
【図３】
2011204833.tif 000005
【図４】
2011204833.tif 000006
【図５】
2011204833.tif 000007